(57)【特許請求の範囲】
【請求項１】
装置本体に着脱可能に配置され、感光体を含む交換ユニットと、
前記交換ユニットに着脱可能に設けられ、前記交換ユニットに装着された際に前記感光体の軸方向に沿って対向するように配置された複数の発光素子を有する露光部と、
前記交換ユニットに形成され、前記露光部をその長手方向に案内するガイドと、
を備え、
前記交換ユニットは、前記露光部を、その長手方向両端部及び長手方向中央部で支持する支持部を備えたことを特徴とする画像形成装置。
【請求項２】
前記交換ユニットは、現像部と、該現像部へ供給される現像剤を収容する現像剤カートリッジとを備え、
前記現像剤カートリッジは、前記感光体から見て前記露光部が重なる前記露光部の背面側に配置されていることを特徴とする請求項１に記載の画像形成装置。
【請求項３】
前記ガイドは、前記交換ユニットに配置されると共に前記現像剤カートリッジを保持する保持部材に設けられていることを特徴とする請求項２に記載の画像形成装置。
【請求項４】
前記ガイドに案内される前記露光部は、所定位置で前記ガイドから外れ、
前記ガイドから外れた前記露光部を前記感光体へ向けて押す押し部材と、
前記露光部の長手方向両端部に設けられ、前記感光体の表面又は前記感光体の軸受けに接触して前記押し部材により押される前記露光部と前記感光体との距離を規定する突出部と、
を備えたことを特徴とする請求項１〜３のいずれか１項に記載の画像形成装置。
【発明の詳細な説明】
【技術分野】
【０００１】
本発明は、画像形成装置に関する。
【背景技術】
【０００２】
画像形成装置としては、特許文献１に開示される画像形成装置が公知である。特許文献１に開示される画像形成装置は、現像ユニット、露光部としての露光ユニット及び感光体を有する感光体ユニットが、装置本体の両側に設けられた共通のユニット取付部材に取り付けられるようになっている。
【０００３】
また、ユニット取付部材に感光体ユニットを固定することにより現像ユニット及び露光ユニットが所定位置に位置決めされるようになっている。
【０００４】
ユニット取付部材へは、まず、第２のガイド部に現像ユニットの位置決め部材がはまり込み、現像ユニットが変位可能に支持される。
【０００５】
次に、第１のガイド部に露光ユニットの位置決めピンがはまり込み、露光ユニットが変位可能に支持される。
【０００６】
現像ユニットと露光ユニットとがはめ込まれたならば、感光体ユニットの位置決め部材が固定部と嵌合し、感光体ユニットが取り付けられる。このとき、感光ドラムに露光ユニットのコロ及び現像ローラのギャップリングが当接し、バネを弾性変形させて露光ユニット並びに現像ユニットを所定位置に位置決めする。
【０００７】
すなわち、特許文献１の画像形成装置では、現像ユニット、露光ユニット、感光体ユニットの各々が、装置本体に設けられた取付部材のガイド部や固定部に個別に取り付けられる。
【特許文献１】特開２００４−１６３５７９号公報
【発明の開示】
【発明が解決しようとする課題】
【０００８】
本発明は、露光部を案内するガイドが装置本体に設けられた構成に比べ、感光体に対する露光部の位置精度が高い画像形成装置を提供することを目的とする。
【課題を解決するための手段】
【０００９】
本発明の請求項１に係る画像形成装置は、装置本体に着脱可能に配置され、感光体を含む交換ユニットと、前記交換ユニットに着脱可能に設けられ、前記交換ユニットに装着された際に前記感光体の軸方向に沿って対向するように配置された複数の発光素子を有する露光部と、前記交換ユニットに形成され、前記露光部をその長手方向に案内するガイドと、を備え、前記交換ユニットは、前記露光部を、その長手方向両端部及び長手方向中央部で支持する支持部を備えたことを特徴とする。
【００１０】
本発明の請求項２に係る画像形成装置は、請求項１の構成において、前記交換ユニットは、現像部と、該現像部へ供給される現像剤を収容する現像剤カートリッジとを備え、前記現像剤カートリッジは、前記感光体から見て前記露光部が重なる前記露光部の背面側に配置されていることを特徴とする。
【００１１】
本発明の請求項３に係る画像形成装置は、請求項２の構成において、前記ガイドは、前記交換ユニットに配置されると共に前記現像剤カートリッジを保持する保持部材に設けられていることを特徴とする。
【００１３】
本発明の請求項４に係る画像形成装置は、請求項１〜３のいずれか１項の構成において、前記ガイドに案内される前記露光部は、所定位置で前記ガイドから外れ、前記ガイドから外れた前記露光部を前記感光体へ向けて押す押し部材と、前記露光部の長手方向両端部に設けられ、前記感光体の表面又は前記感光体の軸受けに接触して前記押し部材により押される前記露光部と前記感光体との距離を規定する突出部と、を備えたことを特徴とする。
【発明の効果】
【００１４】
本発明の請求項１の構成によれば、露光部を案内するガイドが装置本体に設けられた構成に比べ、感光体に対する露光部の位置精度が高くできる。
【００１５】
本発明の請求項２の構成によれば、露光部の背面側のスペースを利用して現像剤カートリッジを大きくできるので、現像剤カートリッジに収容する現像剤の容量を増やせ、現像剤カートリッジの交換頻度を低減できる。
【００１６】
本発明の請求項３の構成によれば、露光部の背面側のスペースを利用して大きくできる現像剤カートリッジの保持部材にガイドを設けることで、ガイドを設けるスペースを確保できる。
【００１７】
本発明の請求項１の構成によれば、露光部の剛性を高め、露光部の支持を安定させることができる。
【００１８】
本発明の請求項４の構成によれば、感光体に対する露光部の位置精度を簡易な構成で高くすることができる。
【発明を実施するための最良の形態】
【００１９】
以下に、本発明の画像形成装置に係る実施形態の一例を図面に基づき説明する。
【００２０】
（本実施形態に係る画像形成装置の全体構成）
まず、本実施形態に係る画像形成装置１０の全体構成について説明する。図１は、画像形成装置１０の外観を示す斜視図である。図２は、画像形成装置１０の全体構成を示す概略図である。
【００２１】
本実施形態に係る画像形成装置１０は、図１に示すように、各構成部品が収容される筐体１１を備えている。筐体１１は、装置本体１２と、装置本体１２から着脱可能なカバー体５０とを備えて構成されている。
【００２２】
装置本体１２の下部には、図２に示すように、記録媒体の一例としての用紙Ｐが収容される用紙収容部１４が配置されている。
【００２３】
この用紙収容部１４の上部には、用紙Ｐの上面に接触して回転し、用紙収容部１４から用紙Ｐを送り出す送出しロール１６が配置されている。
【００２４】
また、装置本体１２には、用紙収容部１４から上方へ向かって縦方向に延びる第１搬送路２２が形成されている。
【００２５】
この第１搬送路２２に沿って、用紙搬送方向の上流側から順に、用紙Ｐを挟持搬送する複数の搬送ロール対２４、画像が形成される用紙Ｐを静電吸着して搬送する無端状の搬送ベルト２６が配置されている。
【００２６】
搬送ベルト２６は、図２及び図３に示すように、上方に配置された巻掛けローラ２７と、下方に配置された巻掛けローラ２５に巻き掛けられており、巻掛けローラ２７及び巻掛けローラ２５のいずれかが、所定方向へ回転駆動することにより、搬送ベルト２６が所定方向へ循環駆動する。この搬送ベルト２６は、図２及び図３において時計回り方向へ循環駆動する。
【００２７】
この搬送ベルト２６の用紙搬送方向上流側には、搬送ベルト２６の表面上を帯電させると共に、搬送ベルト２６へ静電吸着される用紙Ｐを搬送ベルト２６へ押し当てる帯電ロール２３が搬送ベルト２６に隣接して設けられている。
【００２８】
また、第１搬送路２２を間に挟んで、搬送ベルト２６に対向する横方向には、イエロー、マゼンタ、シアン、ブラックの各色に対応した複数の交換ユニット２８Ｙ、２８Ｍ、２８Ｃ、２８Ｋ（以下、２８Ｙ〜２８Ｋと示す）が、第１搬送路２２に沿って、装置本体１２に縦列配置されている。
【００２９】
交換ユニット２８Ｙ〜２８Ｋには、感光体の一例としての感光体ドラム３０が設けられており、複数の感光体ドラム３０が装置本体１２に縦列配置されている。この感光体ドラム３０は、それぞれ、所定方向、図２及び図３において反時計回り方向へ回転する構成となっている。
【００３０】
感光体ドラム３０の周囲には、感光体ドラム３０の回転方向上流側から順に、帯電部との一例としての帯電ローラ３２と、感光体の軸方向に沿って配置された複数の発光素子を有する露光部の一例としてのＬＥＤプリントヘッド３４と、現像ローラ３６を有する現像部３５と、清掃ブレード３７を有する清掃部３９とが設けられている。
【００３１】
帯電ローラ３２は、感光体ドラム３０に従動回転して感光体ドラム３０の表面を帯電させる構成となっている。
【００３２】
ＬＥＤプリントヘッド３４は、例えば、感光体ドラム３０の外周面へ発光する複数の発光素子の一例としてのＬＥＤが、感光体ドラム３０の軸方向に沿って配列されて構成される発光素子アレイ５８と、発光素子アレイの光像を結像する結像素子アレイ６０とを備えて構成されている（図１０参照）。結像素子としては、例えば、セルフォックレンズが用いられる。
【００３３】
なお、ＬＥＤプリントヘッド３４は、後述するように交換ユニット２８Ｙ〜２８Ｋに着脱可能に設けられており、交換ユニット２８Ｙ〜２８Ｋに装着された際にＬＥＤが感光体ドラム３０の軸方向に沿って対向するように配置されている。
【００３４】
この構成では、結像素子アレイ６０が発光素子アレイ５８の光像を結像することにより、主走査方向である感光体ドラム３０の回転軸方向に沿って形成される走査線が、感光体ドラム３０に向けて照射される。これにより、帯電ローラ３２が帯電させた感光体ドラム３０の表面を露光して感光体ドラム３０の表面に静電潜像を形成される。
【００３５】
また、現像部３５は、現像ローラ３６がＬＥＤプリントヘッド３４により感光体ドラム３０の表面に形成された静電潜像へトナーを付着させて現像するようになっている。
【００３６】
清掃部３９は、清掃ブレード３７の先端部が、感光体ドラム３０の表面に接触する位置に支持部により支持されている。これにより、回転駆動する感光体ドラム３０の表面と清掃ブレード３７の先端部が接触して、感光体ドラム３０の表面に残留した残留トナー、外添剤等の付着物を掻き取る。なお、清掃ブレード３７は、ゴム、金属等で形成されている。
【００３７】
上述のように、各交換ユニット２８Ｙ〜２８Ｋが、装置本体１２に縦列配置されることにより、各交換ユニット２８Ｙ〜２８Ｋに設けられた各部品、すなわち、感光体ドラム３０、帯電ローラ３２、ＬＥＤプリントヘッド３４及び現像ローラ３６も縦列配置されている。
【００３８】
なお、縦列配置としては、装置本体１２の側面視にて各部品が縦方向に向けて順に配置されていればよく、各部品が横方向にずれていれてもよい。したがって、横方向にずれながら縦方向に並べられて斜めに配置された構成であってもよい。
【００３９】
また、帯電ローラ３２及びＬＥＤプリントヘッド３４は、感光体ドラム３０に対してその横方向から対向し、現像ローラ３６は、感光体ドラム３０に対してその斜め下方から対向している。
【００４０】
また、各交換ユニット２８Ｙ〜２８Ｋには、現像部３５へ供給される現像剤を収容する複数の現像剤カートリッジとしてのトナーカートリッジ２９が設けられている。トナーカートリッジ２９は、感光体ドラム３０から見てＬＥＤプリントヘッド３４が重なるＬＥＤプリントヘッド３４の背面側に配置されている。なお、図３のＡで示す部分が、トナーカートリッジ２９とＬＥＤプリントヘッド３４とが重なる部分である。
【００４１】
感光体ドラム３０に対向する横方向には、搬送ベルト２６の内周側に、それぞれ、感光体ドラム３０の表面に形成されたトナー画像を用紙Ｐへ所定の転写位置で転写する転写装置３８が設けられている。
【００４２】
搬送ベルト２６より用紙搬送方向下流側には、転写されたトナー画像を用紙Ｐへ定着させる定着装置４０、用紙Ｐを挟持搬送する搬送ロール対４２、用紙Ｐを排出トレイ２０へ排出する排出ロール対４４が、この順で配置されている。
【００４３】
カバー体５０は、下方が開放された箱状に形成されており、上方へ持ち上げることにより装置本体１２から取り外せるようになっている。また、装置本体１２の上方から装置本体１２へ被せることにより、装置本体１２に装着されるようになっている。
【００４４】
カバー体５０を装置本体１２から取り外すことにより、装置本体１２に設けられた交換ユニット２８Ｙ〜２８Ｋ及び搬送ベルト２６等の構成部品が露出した状態となる。
【００４５】
交換ユニット２８Ｙ〜２８Ｋは、図４に示すように、保持フレーム５４に保持されている。
【００４６】
保持フレーム５４は、交換ユニット２８Ｙ〜２８Ｋの両側の側面に、トナーカートリッジ２９を除く、感光体ドラム３０、帯電ローラ３２、ＬＥＤプリントヘッド３４と、現像部３５、清掃部３９を覆うように配置されており、交換ユニット２８Ｙ〜２８Ｋの両側の側面に着脱可能に固定されている。
【００４７】
交換ユニット２８Ｙ〜２８Ｋは、図５に示すように、保持フレーム５４に保持された状態で一体に装置本体１２から着脱可能とされている。
【００４８】
また、図５に示すように、搬送ベルト２６、帯電ロール２３、定着装置４０、搬送ロール対４２は、一体に構成され、搬送ベルトユニット５２としてユニット化されている。搬送ベルトユニット５２は回動可能に装置本体１２に取り付けられており、搬送ベルトユニット５２は、装置本体１２側から装置外側へ（図５においてＡ方向へ）回動して傾倒することにより、交換ユニット２８Ｙ〜２８Ｋの感光体ドラム３０から退避し、交換ユニット２８Ｙ〜２８Ｋを装置本体１２から着脱する際に、感光体ドラム３０と搬送ベルト２６が干渉しないようになっている。
【００４９】
なお、交換ユニット２８Ｙ〜２８Ｋは、装置本体１２から一体に着脱される構成に限られず、図６に示すように、個別に着脱される構成であっても良い。
【００５０】
また、画像形成装置１０の構成としては、搬送ベルト２６に替えて中間転写ベルトを備えた構成であっても良い。
【００５１】
次に、本実施形態に係る画像形成装置における、画像を形成する画像形成動作について説明する。
【００５２】
本実施形態に係る画像形成装置において、用紙Ｐへ画像を形成する場合は、まず用紙収容部１４から取り出された用紙Ｐが、複数の搬送ロール対２４によって第１搬送路２２を上方へ搬送され、搬送ベルト２６へ送り込まれる。搬送ベルト２６へ送り込まれた用紙Ｐは、帯電ロール２３によって搬送ベルト２６へ押し当てられると共に、帯電する搬送ベルト２６に静電吸着されて、上方へ搬送され、イエロー、マゼンタ、シアン、ブラックの各色に対応した所定の転写位置へ順次送り込まれる。
【００５３】
所定の転写位置へ送り込まれた用紙Ｐは、感光体ドラム３０上に形成された各色のトナー画像が転写装置３８によって転写され、フルカラー画像が形成される。さらに定着装置４０へ搬送され、転写されたトナー画像が定着装置４０により定着される。トナー画像が定着された用紙Ｐは、排出ロール対４４により排出トレイ２０へ排出される。以上のように、一連の画像形成動作が行われる。
【００５４】
（ＬＥＤプリントヘッド３４の着脱構成）
次に、ＬＥＤプリントヘッド３４の着脱構成について説明する。
【００５５】
ＬＥＤプリントヘッド３４は、図７及び図８に示すように、交換ユニット２８Ｙ〜２８Ｋに着脱可能に設けられている。
【００５６】
ＬＥＤプリントヘッド３４が装着される装着部３３は、その周囲を感光体ドラム３０、清掃部３９、現像部３５及びトナーカートリッジ２９に囲まれている。
【００５７】
装着部３３は、感光体ドラム３０、清掃部３９、現像部３５及びトナーカートリッジ２９によって囲まれることで、長手方向両端部の除く周囲が閉鎖された閉鎖空間とされる。装着部３３の長手方向両端部に形成された開口部は、保持フレーム５４により閉鎖される。
【００５８】
交換ユニット２８Ｙ〜２８Ｋには、図８に示すように、ＬＥＤプリントヘッド３４を支持する支持体６５が、トナーカートリッジ２９を保持する保持部材の一例としての保持フレーム３１に設けられている。
【００５９】
この保持フレーム３１は、交換ユニット２８Ｙ〜２８Ｋに配置されており、保持フレーム３１によってトナーカートリッジ２９は交換ユニット２８Ｙ〜２８Ｋに保持される。
【００６０】
支持体６５は、図９に示すように、板状の支持体本体６７を備え、支持体本体６７の長手方向両端部には、感光体ドラム３０へ延びる１対のアーム６６が設けられている。一対のアーム６６は、支持体６５の上部に設けられた上部アーム６６Ａと支持体６５の下部に設けられた下部アーム６６Bから構成され、上部アーム６６Ａと下部アーム６６Bとの間には、ＬＥＤプリントヘッド３４が差し込まれる隙間７０が形成されている。
【００６１】
下部アーム６６Bの先端部（感光体ドラム３０側の端部）には、ＬＥＤプリントヘッド３４に設けられたピン６２を下方から支持する支持部の一例としての支持突起６８が設けられている。上部アーム６６Ａには、ＬＥＤプリントヘッド３４に設けられたピン６２を上方から支持突起６８に押し付ける押付け部材の一例としての板ばね７２が、支持突起６８に対向して配置されている。
【００６２】
また、支持体６５の長手方向中央部には、ＬＥＤプリントヘッド３４を下方から支持する支持部の一例としての支持突起７４が、支持体６５の下部に設けられている。支持体６５の長手方向中央部には、支持体６５の上部に、ＬＥＤプリントヘッド３４を上方から支持突起７４に押し付ける押付け部材の一例としての板ばね７６が、支持突起７４に対向して配置されている。
【００６３】
このように、ＬＥＤプリントヘッド３４は、２つの支持突起６８と、支持突起７４との３点で支持されている。
【００６４】
支持体本体６７には、ＬＥＤプリントヘッド３４をその長手方向に案内するガイド７８が形成されている。ガイド７８は、支持体本体６７の感光体ドラム３０側の面に形成された溝部８０を有している。一方、ＬＥＤプリントヘッド３４には、図１０に示すように、ガイド７８の溝部８０に嵌合する嵌合部８２が形成されている。
【００６５】
さらに、ガイド７８には、図９に示すように、溝部８０に嵌合した嵌合部８２を保持する保持体８４が形成されている。保持体８４は、支持体本体６７の長手方向に点在しており、長手方向中央部の３箇所と長手方向両端部の計５箇所に形成されている。
【００６６】
ＬＥＤプリントヘッド３４の側部には、ＬＥＤプリントヘッド３４が支持体６５に装着完了する所定位置に位置する場合において支持体６５の保持体８４に対応する位置に、切欠部８６が形成されており、嵌合部８２がＬＥＤプリントヘッド３４の長手方向に沿って点在している。これにより、ＬＥＤプリントヘッド３４を装着する際には、ＬＥＤプリントヘッド３４はガイド７８で案内され、ＬＥＤプリントヘッド３４が支持体６５に装着完了すると、ＬＥＤプリントヘッド３４がガイド７８から外れるようになっている。
【００６７】
また、支持体本体６７の長手方向両端部には、ガイド７８から外れたＬＥＤプリントヘッド３４を感光体ドラム３０へ向けて押す押し部材の一例としてのスプリング８８が設けられている。
【００６８】
また、ＬＥＤプリントヘッド３４の長手方向両端部には、図１０に示すように、ＬＥＤプリントヘッド３４から感光体ドラム３０へ突出する突出部の一例としてのピン６２が設けられている。ピン６２は、所定長さ突出しており、感光体ドラム３０に当たって、感光体ドラム３０とＬＥＤプリントヘッド３４との距離を規定する規定部材として機能する。
【００６９】
（本実施形態の作用）
次に、上記の実施形態について作用を説明する。
【００７０】
図１１に示すように、交換ユニット２８Ｙ〜２８Ｋの支持体６５から取り外されているＬＥＤプリントヘッド３４を交換ユニット２８Ｙ〜２８Ｋに装着する場合には、まず、図１２に示すように、支持体６５の長手方向一端部側から上部アーム６６Ａと下部アーム６６Bとの間に形成された隙間７０へ差し込む。
【００７１】
さらに、図１３に示すように、ＬＥＤプリントヘッド３４を奥へ差し込むと、ＬＥＤプリントヘッド３４がその長手方向へガイド７８に案内される。
【００７２】
図１４に示すように、ＬＥＤプリントヘッド３４は、ガイド７８に案内されている際には、ピン６２は、感光体ドラム３０から退避しており、感光体ドラム３０に接触していない。
【００７３】
図１５に示すように、ＬＥＤプリントヘッド３４の装着が完了すると、ＬＥＤプリントヘッド３４は、ガイド７８から外れ、図１６及び図１７に示すように、ＬＥＤプリントヘッド３４は、スプリング８８により、感光体ドラム３０側へ押され、ピン６２が感光体ドラム３０の表面に当たって、感光体ドラム３０とＬＥＤプリントヘッド３４との距離が規定される。
【００７４】
ところで、ＬＥＤプリントヘッド３４を案内するガイドが装置本体１２に設けられた構成では、感光体ドラム３０を装置本体１２から着脱する場合には、感光体ドラム３０及びＬＥＤプリントヘッド３４をそれぞれ装置本体１２に位置決めして、感光体ドラム３０に対するＬＥＤプリントヘッド３４の位置出しをする必要がある。
【００７５】
これに対して、本実施形態の構成によれば、感光体ドラム３０は、交換ユニット２８Ｙ〜２８Ｋによって着脱されると共に、ガイド７８が交換ユニット２８Ｙ〜２８Ｋの支持体６５に設けられているので、ＬＥＤプリントヘッド３４を交換ユニット２８Ｙ〜２８Ｋに対して位置決めして、感光体ドラム３０に対するＬＥＤプリントヘッド３４の位置出しするので、ＬＥＤプリントヘッド３４を案内するガイド７８が装置本体１２に設けられた構成に比べ、感光体ドラム３０に対するＬＥＤプリントヘッド３４の位置精度が高くできる。
【００７６】
また、本実施形態の構成によれば、ＬＥＤプリントヘッド３４の背面側のスペースを利用してトナーカートリッジ２９を大きくできるので、トナーカートリッジ２９に収容する現像剤の容量を増やせ、トナーカートリッジ２９の交換頻度を低減できる。
【００７７】
また、ＬＥＤプリントヘッド３４の背面側のスペースを利用して大きくできるトナーカートリッジ２９の保持部材３１にガイド７８を設けることで、ガイド７８を設けるスペースを確保できる。
【００７８】
また、本実施形態の構成では、ＬＥＤプリントヘッド３４は、長手方向両端部の支持突起６８と、長手方向中央部の支持突起７４との３点で支持されているので、長手方向一端部の２つの支持突起６８と長手方向他端部の１つの支持突起７４の３点で支持される構成に比べ、ＬＥＤプリントヘッド３４の剛性を高め、ＬＥＤプリントヘッド３４の支持を安定させることができる。
【００７９】
また、本実施形態の構成では、トナーカートリッジ２９がＬＥＤプリントヘッド３４の背面側に配置されると共に、また、ＬＥＤプリントヘッド３４は、その周囲を感光体ドラム３０、清掃部３９、現像部３５により囲まれているので、防塵性に優れる。
【００８０】
また、本実施形態の構成では、ＬＥＤプリントヘッド３４を支持体６５に差し込んで、装着が完了すると、自動的にＬＥＤプリントヘッド３４はガイドから外れ、感光体ドラム３０に対するＬＥＤプリントヘッド３４の位置調整がされるので、位置精度を簡易な構成で高くすることができる。
【００８１】
また、本実施形態では、ＬＥＤプリントヘッド３４を用いると共に、ＬＥＤプリントヘッド３４を縦列配置しているので、装置の小型化が図れる。
【００８２】
なお、上記実施形態では、ピン６２を感光体ドラム３０の表面に当てて、感光体ドラム３０とＬＥＤプリントヘッド３４との距離が規定される構成であったが、図１８に示すように、ピン６２が感光体ドラム３０の軸受３０Ａに当てて、感光体ドラム３０とＬＥＤプリントヘッド３４との距離が規定する構成であってもよい。本発明は、上記の実施形態に限るものではなく、種々の変形、変更、改良が可能である。
【図面の簡単な説明】
【００８３】
【図１】図１は、本発明の実施形態に係る画像形成装置の外観を示す斜視図である。
【図２】図２は、本実施形態に係る画像形成装置の全体構成を示す概略図である。
【図３】図３は、本実施形態に係る交換ユニット及び搬送ベルトの構成を示す概略図である。
【図４】図４は、本実施形態に係る複数の交換ユニットを一体に保持した構成を示す斜視図である。
【図５】図５は、本実施形態に係る複数の交換ユニットを一体に着脱する構成を示す概略図である。
【図６】図６は、本実施形態に係る複数の交換ユニットを個別に着脱する構成を示す概略図である。
【図７】図７は、本実施形態に係るＬＥＤプリントヘッドを交換ユニットから着脱する構成を示す斜視図である。
【図８】図８は、図７の一部を拡大した斜視図である。
【図９】図９は、本実施形態に係るＬＥＤプリントヘッドを支持する支持体を示す斜視図である。
【図１０】図１０は、本実施形態に係るＬＥＤプリントヘッドの構成を示す斜視図である。
【図１１】図１１は、本実施形態に係るＬＥＤプリントヘッドを支持体から取り出した状態を示す斜視図である。
【図１２】図１２は、本実施形態に係るＬＥＤプリントヘッドを支持体へ差込開始した状態を示す斜視図である。
【図１３】図１３は、本実施形態に係るＬＥＤプリントヘッドを支持体に差し込んだ差込途中の状態を示す斜視図である。
【図１４】本実施形態に係るＬＥＤプリントヘッドを支持体に差し込んだ差込途中の状態を示す側面図である。
【図１５】図１５は、本実施形態に係るＬＥＤプリントヘッドを支持体へ差込完了した状態を示す斜視図である。
【図１６】図１５は、本実施形態に係るＬＥＤプリントヘッドを支持体へ差込完了した状態を示す側面図である。
【図１７】図１７は、本実施形態に係るＬＥＤプリントヘッドのピンが感光体ドラムの軸受けに当たって、感光体ドラムとＬＥＤプリントヘッドとの距離を規定される構成を示す平面図である。
【図１８】図１８は、本実施形態に係るＬＥＤプリントヘッドのピンが感光体ドラムの軸受けに当たって、感光体ドラムとＬＥＤプリントヘッドとの距離を規定される構成を示す平面図である。
【符号の説明】
【００８４】
１０   画像形成装置
１２   装置本体
２８Ｙ〜２８Ｋ  交換ユニット
２９   トナーカートリッジ（現像剤カートリッジ）
３０   感光体ドラム（感光体）
３１   保持フレーム（保持部材）
３４   ＬＥＤプリントヘッド（露光部）
３５   現像部
６２   ピン（突出部）
６８   支持突起（支持部）
７４   支持突起（支持部）
７８   ガイド
８８   スプリング（押し部材）
【図１】
0004998129.tif 000002
【図２】
0004998129.tif 000003
【図３】
0004998129.tif 000004
【図４】
0004998129.tif 000005
【図５】
0004998129.tif 000006
【図６】
0004998129.tif 000007
【図７】
0004998129.tif 000008
【図８】
0004998129.tif 000009
【図９】
0004998129.tif 000010
【図１０】
0004998129.tif 000011
【図１１】
0004998129.tif 000012
【図１２】
0004998129.tif 000013
【図１３】
0004998129.tif 000014
【図１４】
0004998129.tif 000015
【図１５】
0004998129.tif 000016
【図１６】
0004998129.tif 000017
【図１７】
0004998129.tif 000018
【図１８】
0004998129.tif 000019